(57)【要約】【課題】必要な場合にだけ複数の香りから任意の香りを発生する携帯通信端末を提供する。【解決手段】携帯通信端末は、異なる香りを発する香料が充填されているとともに弁（１３）が設けられた複数の香料カートリッジ（１２）と、香りに対応する上記香料カートリッジの情報が香りデータとして記憶されているメモリ（１１）と、指定された香りに基づいて上記香りデータを検索して上記香料カートリッジを特定するとともに特定された上記カートリッジの弁を開放して香りを発するように制御する制御部（９）と、を備える。【選択図】図２
2010136266.tif 000002
【特許請求の範囲】
【請求項１】
異なる香りを発する香料が充填されているとともに弁が設けられた複数の香料カートリッジと、
香りに対応する上記香料カートリッジの情報が香りデータとして記憶されているメモリと、
指定された香りに基づいて上記香りデータを検索して上記香料カートリッジを特定するとともに特定された上記カートリッジの弁を開放して香りを発するように制御する制御部と、
を備えることを特徴とする携帯通信端末。
【請求項２】
香りを検知する半導体香りセンサーを備え、
上記制御部は、検知された香りに対応する上記香料カートリッジの情報を上記メモリに記憶することを特徴とする請求項１に記載の携帯通信端末。
【請求項３】
上記制御部は、画像データを含むメールに上記香りデータを添付することを特徴とする請求項１または２に記載の携帯通信端末。
【請求項４】
上記制御部は、受信したメールに添付された上記香りデータに基づいて香りを発生することを特徴とする請求項３に記載の携帯通信端末。
【発明の詳細な説明】
【技術分野】
【０００１】
この発明は、画像データ、ゲーム、メールで香りを必要とした場合に、香りを発生する携帯通信端末に関するものである。
【背景技術】
【０００２】
香りを発生する携帯通信端末は、表に画像を表示する表示部、携帯通信端末を操作する操作部、及び外部とのインターフェースコネクタを備え、内部に通信回路及びそれを制御する制御回路を備え、香りの媒体となる筐体の塗料に香料を練り込んだものまたは筐体に香料を含有した香料シートを貼付するものである（例えば、特許文献１参照）。
【０００３】
【特許文献１】特開２００２−２６５３５３号公報
【発明の開示】
【発明が解決しようとする課題】
【０００４】
しかし、筐体の塗料に香料を練り込んだ場合、製造上筐体１台につき１種類しか香りを選べない。また、香りを必要としない場合でもその香りの発生を止めることができない。
また、筐体に香料シートを貼付する場合、香料シートを貼り替えることで異なる香りを発生することができるが、その寿命は短く。また、香りを必要としない場合でも香りの発生を止めることができない。
【０００５】
この発明の目的は、必要な場合にだけ複数の香りから任意の香りを発生する携帯通信端末を提供することである。
【課題を解決するための手段】
【０００６】
この発明に係る携帯通信端末は、異なる香りを発する香料が充填されているとともに弁が設けられた複数の香料カートリッジと、香りに対応する上記香料カートリッジの情報が香りデータとして記憶されているメモリと、指定された香りに基づいて上記香りデータを検索して上記香料カートリッジを特定するとともに特定された上記カートリッジの弁を開放して香りを発するように制御する制御部と、を備える。
【発明の効果】
【０００７】
この発明に係る携帯通信端末の効果は、香料が貯蔵されている複数の香料カートリッジに弁が設けられており、画像データ、ゲーム、メールで香りを必要とするとき該当する香料カートリッジの弁を開放して所望の香りを発生するので、必要とするときだけ所望の香りを発生することができることである。
【発明を実施するための最良の形態】
【０００８】
実施の形態１．
図１は、この発明の実施の形態１に係る携帯通信端末の斜視図である。図２は、この発明の実施の形態１に係る携帯通信端末の内部の様子を示す斜視図である。
この発明の実施の形態１に係る携帯通信端末は、筐体の表面に画像を表示する表示部２及び携帯通信端末を操作する操作部３、筐体に筐体の内部と外部とを連通させる開口部８を備える。また、携帯通信端末の筐体内には、香料が貯蔵されている５個の香料カートリッジ１２、無線通信網と無線通信を行う通信回路１０、香料データを格納するメモリ１１、及び携帯通信端末を制御する制御部９を備える。
香料カートリッジ１２は、弁１３が設けられており、弁１３が開放されると香料カートリッジ１２に貯蔵されている香料からの香り成分が筐体内及び開口部８を通って筐体外部に拡がっていく。
【０００９】
図３は、この発明の実施の形態１に係る携帯通信端末での香りを発生する手順を示すフローチャートである。
次に、この発明の実施の形態１に係る携帯通信端末での香りを発生する手順を説明する。
ステップＳ１では、通常香りを発生しないように携帯通信端末を操作しないときには、香料カートリッジ１２の弁１３は閉ざされており、香料から蒸散する香り成分は香料カートリッジ１２の外には出ていかない。
そして、ステップＳ２では、操作部３に指示を与えるとゲームが開始される。
ステップＳ３では、香りを発生するよう指示を行う。指示には香りの名称が含まれており、その名称の香りは構成する香り成分が決められている。ある香りは、少なくとも１つの香料からの香り成分を人間が嗅覚により感じ取られる。香りを構成する香り成分に対応する香料のデータはメモリ１１に記憶されている。
ステップＳ４では、操作部３から香りを発生するよう指示が入力されると、その指示が制御部９に入力される。制御部９では、所望の香りを発生するよう指示が入力されると、メモリ１１の香料のデータを所望の香りで検索して必要な香料カートリッジ１２を特定する。
ステップＳ５では、特定した香料カートリッジ１２の弁１３を開放する。
すると、ステップＳ６では、開口部８から香りが発生する。
【００１０】
この発明の実施の形態１に係る携帯通信端末では、複数の香料カートリッジ１２が搭載されており、操作部３からの香りの指示に基づいてメモリ１１に記憶されている香料データを検索して、香りを構成する香料の香料カートリッジ１２を特定し、特定した香料カートリッジ１２の弁１３を開放して香りを発生するので、必要なときだけ香りを発生することができるとともに任意の香りを発生することができる。
【００１１】
実施の形態２．
図４は、この発明の実施の形態２に係る携帯通信端末の斜視図である。
この発明の実施の形態２に係る携帯通信端末は、この発明の実施の形態１に係る携帯通信端末に半導体香りセンサー７を追加したことが異なり、それ以外は同様であるので、同様な部分に同じ符号を付記し説明は省略する。
なお、半導体香りセンサー７を追加したことに関連して、操作部３Ｂ及び制御部９Ｂに香りを検知し、検知した香りに関する香料データを決定し、決定した香料データをメモリ１１に記憶する手順が追加されている。
【００１２】
図５は、この発明の実施の形態２に係る携帯通信端末で香りを登録する手順を示すフローチャートである。
次に、この発明の実施の形態２に係る携帯通信端末で香りを登録する手順を説明する。
ステップＳ１１では、操作部３Ｂから香りを採取するように制御部９Ｂに指示する。
ステップＳ１２では、制御部９Ｂは半導体香りセンサー７が動作するように制御する。
ステップＳ１３では、香りの元に開口部８を近づけて香りを検知する。
ステップＳ１４では、制御部９Ｂは検知した香りから香料データを求め、メモリ１１に香料データを記憶する。
そして、メモリ１１に記憶された香料データを用いて、実施の形態１に係る携帯通信端末を説明したように半導体香りセンサー７で検知した香りを必要な時に発生することができる。
【００１３】
この発明の実施の形態２に係る携帯通信端末では、半導体香りセンサー７により香りを検知し、検知した香りを構成する香り成分を蒸散する香料を特定し、特定した香料を検知した香りに関連してメモリ１１に記憶するので、口臭やアルコールなどのチェックといった用途に使用することができる。
【００１４】
実施の形態３．
図６は、この発明の実施の形態３に係る携帯通信端末の構成図である。
この発明の実施の形態３に係る携帯通信端末は、この発明の実施の形態１に係る携帯通信端末を携帯通信端末本体１５と香り発生装置１４とに分けたことが異なり、それ以外は同様であるので同様な部分に同じ符号を付記し説明は省略する。
香り発生装置１４は、複数の香料カートリッジ１２が携帯通信端末本体１５と違う独自の筐体内に収納されており、弁１３を制御する信号を弁１３に繋がる信号線の先端に設けられたコネクタ１６ａを携帯通信端末本体１５に設けられた受けコネクタ１６ｂに接続することにより、携帯通信端末本体１５の制御部９により弁１３を制御して所望の香りを香り発生装置１４から発生することができる。
【００１５】
図７は、この発明の実施の形態３に係る携帯通信端末での香りを発生する手順を示すフローチャートである。
次に、この発明の実施の形態３に係る携帯通信端末での香りを発生する手順を説明する。
ステップＳ２１では、通常、香り発生装置１４の香料カートリッジ１２の弁１３は閉ざされており、香り成分は香料カートリッジ１２の外には抜けていかない。
ステップＳ２２では、香り発生装置１４が接続されているか否かを判断し、香り発生装置１４が接続されているときはステップＳ２３に進み、香り発生装置１４が接続されていないときはステップＳ２１に戻る。
ステップＳ２３では、操作部３に指示を与えるとゲームが開始される。
ステップＳ２４では、香りを発生するよう指示を行う。指示には香りの名称が含まれており、香りを構成する香料毎の成分比が決められている。ある香りは、少なくとも１つの香料から蒸散する香り成分を人間が嗅覚により感じ取られる。香りデータはメモリ１１に記憶されている。
ステップＳ２５では、操作部３から香りを発生するよう指示が入力されると、その指示が制御部９に入力される。制御部９では、所望の香りを発生するよう指示が入力されると、メモリ１１の香りデータを所望の香りで検索して必要な香料を特定する。
ステップＳ２６では、制御部９は香り発生装置１４の特定した香料カートリッジ１２の弁１３を開放する。すると、香り発生装置１４の開口部８から香りが発生する。
【００１６】
この発明の実施の形態３に係る携帯通信端末では、香り発生装置１４を外付けにすることができるので、香りを発生するときだけ香り発生装置１４を接続すれば良い。
【００１７】
実施の形態４．
この発明の実施の形態４に係る携帯通信端末は、この発明の実施の形態１に係る携帯通信端末の制御部９が異なっており、それ以外は同様であるので、同様な部分に同じ符号を付記し説明は省略する。
図８は、この発明の実施の形態４に係る携帯通信端末において画像データに香りデータを添付して他の携帯通信端末にメールする手順を示すフローチャートである。
この発明の実施の形態４に係る携帯通信端末において画像データに香りデータを添付して他の携帯通信端末にメールする手順を説明する。
ステップＳ３１では、操作部３の操作によりメールアプリケーションを立ち上げ、メールを作成する。この場合、新しいメールでも返信メールでも転送メールでも構わない。
ステップＳ３２では、メールに画像データを添付する。
ステップＳ３３では、メールに画像データに対応する香りデータを添付する。
ステップＳ３４では、メールを送信する。
このようにすることにより、香りデータが添付された画像データを通信相手先に送信することができる。
【００１８】
図９は、この発明の実施の形態４に係る携帯通信端末において香りデータを添付された画像データを他の携帯通信端末からメール受信した後で香りを発生する手順を示すフローチャートである。
次に、この発明の実施の形態４に係る携帯通信端末において香りデータを添付された画像データを他の携帯通信端末からメール受信した後で香りを発生する手順を説明する。
ステップＳ４１では、メールを受信する。このメールには画像データ及び香りデータが添付されている。
ステップＳ４２では、受信したメールに添付されている画像データ及び香りデータをメモリ１１に記憶する。
ステップＳ４３では、メモリ１１から画像データを読み出し、画像を表示部２に表示する。
ステップＳ４４では、メモリ１１から香りデータを読み出し、該当する香料カートリッジ１２を特定し、その香料カートリッジ１２の弁１３を開放する。
このようにすることにより、通信相手先から受け取った画像に対応する香りを発生することができる。
【００１９】
このように画像データに香りデータを添付することにより、画像データの画像に対応する香りを通信相手先に送ることもできるし、通信相手先から受け取ることもできる。
【００２０】
実施の形態５．
図１０は、この発明の実施の形態５に係る携帯通信端末の斜視図である。
この発明の実施の形態５に係る携帯通信端末は、この発明の実施の形態１に係る携帯通信端末にカメラ部１７を追加したことが異なり、これ以外は同様であるので、同様な部分に同じ符号を付記し説明は省略する。
２人が実施の形態５に係る携帯通信端末を用いてテレビ電話を行う。テレビ電話では一方の人の携帯通信端末の表示部２には他方の人の携帯通信端末から送られてきた画像データの画像が表示されている。そして、一方の人は表示部２に表示されている画像内容に相応しい香りを特定し、操作部３を操作して制御部９に特定した香りの発生を要求する。制御部９では、要求された香りでメモリ１１に記憶されている香りデータを検索し、香りに該当する香りデータを抽出し、抽出した香りデータに基づいて香料カートリッジ１２の弁１３を開放して香りを発生する。
このように遠隔地の画像に相応しい香りを付けることができる。
【図面の簡単な説明】
【００２１】
【図１】この発明の実施の形態１に係る携帯通信端末の斜視図である。
【図２】この発明の実施の形態１に係る携帯通信端末の内部の様子を示す斜視図である。
【図３】この発明の実施の形態１に係る携帯通信端末での香りを発生する手順を示すフローチャートである。
【図４】この発明の実施の形態２に係る携帯通信端末の斜視図である。
【図５】この発明の実施の形態２に係る携帯通信端末で香りを登録する手順を示すフローチャートである。
【図６】この発明の実施の形態３に係る携帯通信端末の構成図である。
【図７】この発明の実施の形態３に係る携帯通信端末での香りを発生する手順を示すフローチャートである。
【図８】この発明の実施の形態４に係る携帯通信端末において画像データに香りデータを添付して他の携帯通信端末にメールする手順を示すフローチャートである。
【図９】この発明の実施の形態４に係る携帯通信端末において香りデータを添付された画像データを他の携帯通信端末からメール受信した後で香りを発生する手順を示すフローチャートである。
【図１０】この発明の実施の形態５に係る携帯通信端末の斜視図である。
【符号の説明】
【００２２】
２  表示部、３、３Ｂ  操作部、７  半導体香りセンサー、８  開口部、９、９Ｂ  制御部、１０  通信回路、１１  メモリ、１２  香料カートリッジ、１３  弁、１４  香り発生装置、１５  携帯通信端末本体、１６ａ  コネクタ、１６ｂ  受けコネクタ、１７  カメラ部。
【図１】
2010136266.tif 000003
【図２】
2010136266.tif 000004
【図３】
2010136266.tif 000005
【図４】
2010136266.tif 000006
【図５】
2010136266.tif 000007
【図６】
2010136266.tif 000008
【図７】
2010136266.tif 000009
【図８】
2010136266.tif 000010
【図９】
2010136266.tif 000011
【図１０】
2010136266.tif 000012